(57)【特許請求の範囲】
【請求項１】
１本の鋼線を曲げて形成された本体部と、２個の吸着盤とから成り、
上記鋼線の上端部が折り曲げられて上部フックを形成していて、該フックの根本側は水平であり、先端側は直角に折り曲げられて垂直をなし、
上記の上部フックに隣接する部分が水平面に添ってほぼ１巻きされ、３６０度弱の円弧をなす環状部を形成しており、
前記鋼線の、フックと反対側の端が上方へ折り上げられてＵ字状部を形成しており、
かつ、前記環状部とＵ字状部との間は直線状部を形成していて、この直線状部に前記２個の吸着盤が取り付けられていることを特徴とする、ホースを保持する器具。
【請求項２】
前記吸着盤の支持部に設けられた孔が、前記直線部に対して摺動可能に、かつ、外力を受けないときは摩擦によって固定されるように外嵌されていることを特徴とする、請求項１に記載したホースを保持する器具。
【発明の詳細な説明】
【０００１】
【発明の属する技術分野】
本発明は、例えば水道の蛇口に接続したビニールホースの先端を、ドラム缶などの液体容器の開口部に差し込んで、液体（たとえば水道水）を注入する際、手を放してもホース先端が液体容器の中に位置するように保持する技術に関するものである。
【０００２】
【従来の技術】
水，灯油，液体肥料などの液体を、ホースの先端から容器（缶，バケツなど）の中に注ぎ込む作業は、日常生活や生産活動の中で、しばしば行なわれている。
劇，毒物の液体や高圧の液体については格別の技術と専用の設備を必要とするが、本発明においては毒性のない液体を適用の対象とし、ホース出口における液体圧力は数気圧程度以下の場合に適用される。
このような場合、最も標準的な操作は、ホースの先端から遠くない箇所を手で持って該ホースを保持することである。
保持している作業員に掛かる力は、主としてホースおよび液体の重力荷重と、放出される液体の反力とである。時としてホースの巻き癖の復元力が掛かるが、さして大きい力ではない。また、台風時などの特殊な場合を除けば、さして大きい風圧は受けない。
従って、大きい労力は要しないが、ホースを手で持っていなければ注入操作が確実には行なわれない。
【０００３】
ところが、ときによっては作業員がホースから手を放したい場合が発生する。こうした必要性を生じる作業条件は多種多様であるが、一般的に言えば、ホースから放出される液体の流量に比して容器が大きく、所要量の液体を注入して貯溜するのに長時間を要する場合、作業員は待ち時間の間に他の業務（例えば用便，連絡，休息，清掃など多種多様）を片付けたいと思う。
上記と異なる事例としては「ホースから手を放して、数歩離れた箇所の止水栓を開閉操作しなければならない場合」や、「一人の作業員が複数個の容器のそれぞれにホースからの液流を注入しなければならない場合」なども有る。
このような場合、比較的簡便に、かつ確実にホース先端部を保持するため、紐で縛り付けておくこと等が広く用いられている。
【０００４】
図２（Ａ）は、ホースを保持する従来技術の１例を示し、液体の１例としての水道水をホース１で導き、液体容器の１例としてのドラム缶の中へ注入している状態の外観斜視図である。容器２の中に所定量の水が溜まったら注入を停止しなければならないが、該ホース１が数メートル以上の長尺であって、水道の開閉弁が図外の離れた位置に在る場合、作業員はホース１の先端部を持ったままで開閉弁を操作できない。ところが、丸くて大きい容器（ドラム缶）に対してホース１の先端を紐で結びつけることは容易でない。
そこで、容器２の上に角材３を置き、この角材３に対してホース１を紐４で縛り付けること等が行なわれている。しかし、角材３は適当な長さと重さとを必要とし、このような角材は予め準備しておかないと、いつでも手許に有るというものではない。例えばドラム缶にホースで水を注入する、といった操作は、日常のありふれた作業であるにも拘らず、以上に述べたような事情により、案外に不便であり厄介であった。
【０００５】
【発明が解決しようとする課題】
図２（Ｂ）は、本発明が解決しようとする課題を説明するための概念図であって、図外の水道蛇口に接続されたホースの先端を容器の中に差し入れて保持しているところを描いてある。ホース１の先端付近にフック５を装着して、このフック５を容器２の開口部の縁に引っ掛けておけば、作業員はホースから水を出しっ放しにして小用を足しに行くこともでき、図外の水道蛇口の所に行って開閉弁を操作することもできる。ところが、実際の使用に際しては、図２（Ｂ）のようにしてホースを保持するについて種々の困難が有る。
【０００６】
工場，清掃場，魚貝市場などのように、絶えず注水作業を行なっている業種であれば、専用の器具としてホース先端にフックを取り付けておけば良いのであるが、多くの小規模事業所や家庭などにおいては、水源（例えば水道蛇口）に接続されたホースは各種の目的に兼用される。例えば道路に散水したり、植木や芝生に水を注いだり、自動車を洗車したり、コンクリート床の泥を流す等々、汎用されるので、ホースにフックを取り付けておいては邪魔になる。
また、１個のフックを複数のホースに付け替えて用いたという要望も有る。本発明は上述の事情に鑑みて為されたものであって、その目的とするところは、ホースに対して容易に着脱することができ、該ホースを容易に対して軽便に保持することができ、操作が容易で、誤操作によって人体やホースを損傷する虞の無いホース保持具を提供するにある。
【０００７】
【課題を解決するための手段】
前記の目的を達成するために創作した本発明の基本的原理について、その１実施形態に対応する図１を参照して略述すると次のとおりである。
すなわち、ホース１の先端を容器２の中へ差し込んだ状態で、該ホースを簡便に保持し得る、しかも該ホースに対して着脱自在な、簡単で低コストの器具を提供するため、
太目の鋼線を用いて作られた直線状部１３ａの上端付近を曲げて、ホース１を挿通し得る環状部１３ｂが形成され、更にその先端を鉤形に曲げて上部フック１３ｃを形成し、容器２の縁に引っ掛けてある。前記直線状部１３ａの下端部は緩やかに折り曲げて位置決め用のＵ字状部１３ｄが形成されている。前記直線状部１３ａに吸着盤１３ｂが装着されていて、この吸着盤を容器２の内周面に吸着させて固定する。ホース１を前記環状部１３ｂに通し、位置決めＵ字状部に係合して保持される。
【０００８】
請求項１の発明に係るホース保持具の構成は、（図１参照）、
１本の鋼線を曲げて形成された本体部と、２個の吸着盤とから成り、
上記鋼線の上端部が折り曲げられて上部フック（１３ｃ）を形成していて、
該フックの根本側は水平であり、先端側は直角に折り曲げられて垂直をなし、
上記の上部フックに隣接する部分が水平面に添ってほぼ１巻きされ、３６０度弱の円弧をなす環状部（１３ｂ）を形成しており、
前記鋼線の、フックと反対側の端が上方へ折り上げられてＵ字状部（１３ｄ）を形成しており、
かつ、前記環状部とＵ字状部との間は直線状部（１３ａ）を形成していて、この直線状部に前記２個の吸着盤が取り付けられていることを特徴とする。
【０００９】
以上に説明した請求項１の発明によれば、直線状部と、環状部と、上記フックと、位置決めＵ字状部とから成る鋼線製の器具本体を、容器の縁の内側に位置せしめて、前記上記フックを容器の縁に引っ掛けるとともに吸着盤を該容器の内周面に吸着させると、前記の器具本体が容器に対して迅速，容易に、着脱可能に装着される。そこで、ホースの先端部を前記環状部に挿通し、さらに先端を位置決めＵ字状部に係合すると、該ホースは安定した状態で保持される。その上、ホースの太さが多少変わっても安定に保持され、しかも、これを抜去することも容易である。
吸着盤の設置個数が２個であるから、器具本体の支持状態が安定である。
【００１０】
請求項２に係る発明方法の構成は、前記吸着盤の支持部に設けられた孔が、前記直線部に対して摺動可能に、かつ、外力を受けないときは摩擦によって固定されるように外嵌されていることを特徴とする。
【００１１】
以上に説明した請求項２の発明は、市販の吸着盤を使用するに適している。
【００３０】
【発明の実施の形態】
図１は、本発明に係るホース保持具の実施形態を示す。この実施形態は請求項１の構成に対応している。直線状部１３ａと、環状部１３ｂと、上記フック１３ｃと、位置決めＵ字状部１３ｄとは１本の鋼線（針金）を曲げて構成され、本実施形態のホース保持器具の本体部を形成している。本発明を実施する場合、上記本体部をステンレス鋼材で構成すると耐久性に優れていて好都合である。鋼線を適宜の長さに切って、その片方の端を鉤状に曲げて上部フック１３ｃを形成する。
【００５７】
説明の便宜上、本図１に示したように標準的な使用状態について、上下の方向を呼称するものとする。前記の上部フック１３ｃは、ほぼ直角に折り曲げられ、先端側はほぼ垂直となり根本側はほぼ水平になっている。上記の上端フック１３ｃの根本側（水平部分）に隣接させて、前記の鋼線を水平面に沿わせて円弧状に曲げ、環状部１３ｂが形成されている。本図１の実施形態では、上記環状部１３ｂは鋼線をほぼ１巻き、すなわち３６０度弱の円弧に形成してある。
この環状部１３ｂの径は、ホース１を挿通し得る程度に設定される。
【００５８】
前記環状部１３ｂの下方は、上下に真直な直線状部１３ａになっていて、その下端部は緩やかにＵ字状に折り上げられて位置決めＵ字状部１３ｄが形成されている。本発明を実施する場合、Ｕ字状の変形例としてＶ字状にすることもできる。要するに、上方に向けて凹なる形状とすれば良い。
前記直線状部１３ａに吸着盤１３ｂを取り付ける。本例においては２個の吸着盤を装着したが、本発明を実施する際、吸着盤の装着個数は限定されない。
本実施形態においては、市販の吸着盤を利用し、該吸着盤の支持部に設けた孔を直線状部１３ａに対して摺動可能に外嵌してある。上記の摺動部は、別段の外力を受けないときは摩擦によって固定されている。
以上のようにして、吸着盤付きホースホルダー１３が構成される。
【００５９】
この実施形態のホース保持器具を使用する場合は、上部フック１３ｃを容器２の縁に引っ掛け、吸着盤１３ｂを容器２の内周面に押し付けて吸着保持せしめる。これにより、吸着盤付きホースホルダー１３は容器２に取り付けられる。
ホース１は長尺の部材で、図外側の端は水道栓に接続されている。このホース１の先端を環状部１３ｂに挿通し、さらに、その先端を位置決めＵ字状部１３ｄに係合する。
この状態で、ホース１は環状部１３ｂに対して緩やかに嵌合しているだけで、締め付けられていないから、この嵌合部のみではホース１の固定が確実でない。しかし、該ホース１の先端が位置決めＵ字状部１３ｄに係合されているので、ホースは計２箇所で支持され、実用上充分な安定性をもって保持される。
【００６０】
以上に説明した図１の実施形態における吸着盤付きホースホルダー１３は、１本の針金と２個の吸着盤（市販品）とを用いて構成され、製造工程が非常に簡単である。すなわち、針金を切断する作業と、針金を吸着盤の取付孔に通す作業と、針金を曲げる作業とだけで製造することができて製造コストが低廉であり、溶接機やプレス機などの機械設備を要しないので設備コストが少なく、操業に関して特別な資格（例えば溶接や危険物取扱）を必要としない。この実施形態は、内周面が平滑な容器に使用する場合に好適である。
【００６３】
【発明の効果】
以上に本発明の実施形態を挙げてその構成，作用を明らかならしめたように、本発明装置によれば、直線状部と、環状部と、上記フックと、位置決めＵ字状部とから成る器具本体を、容器の縁の内側に位置せしめて、前記上記フックを容器の縁に引っ掛けるとともに、２個の吸着盤を該容器の内周面に吸着させると、前記の器具本体が容器に対して迅速，容易に、着脱可能に装着される。そこで、ホースの先端部を前記環状部に挿通し、さらに先端を位置決めＵ字状部に係合すると、該ホースは安定した状態で保持される。その上、ホースの太さが多少変わっても安定に保持され、しかも、これを抜去することも容易である。
【図面の簡単な説明】
【図１】本発明に係るホースを保持する器具の１実施形態を示し、正常な使用状態を描いた部分的に破断して描いた斜視図である。
【図２】（Ａ）は、ホースを保持する従来技術の１例を示し、液体の１例としての水道水をホース１で導き、液体容器の１例としてのドラム缶の中へ注入している状態の外観斜視図であり、（Ｂ）は、本発明が解決しようとする課題を説明するための概念図であって、図外の水道蛇口に接続されたホースの先端を容器の中に差し入れて保持しているところを描いてある。
【符号の説明】
１…ホース
２…液体の容器
３…角材
４…紐
５…フック
１３…吸着盤付きホースホルダー
１３ａ…直線状部
１３ｂ…環状部
１３ｃ…上部フック
１３ｄ…位置決めＵ字状部
１３ｅ…吸着盤
【図１】
0004143890.tif 000002
【図２】
0004143890.tif 000003